(57)【要約】【課題】車両運転中においても確実に不整脈の有無を判定できる車両用不整脈監視装置を提供すること。【解決手段】ノイズに対して頑健な波形部分とノイズに対して頑健でない波形部分とを有する心電波形に基づいて不整脈の有無を判定する車両用不整脈監視装置１００は、車両が停車しているか否かを判定する車両状態判定手段５と、運転者が車両を操舵するために把持するステアリングに配設された電極から心電波形を取得する心電波形取得手段１０と、前記心電波形取得手段１０が取得した心電波形に基づいて不整脈の有無を判定する信号処理演算手段１１とを備え、信号処理演算手段１１は、車両状態判定手段５が停車していないと判定した場合に、心電波形取得手段１０が取得した心電波形のうちノイズに対して頑健な波形部分に基づいて不整脈の有無を判定することを特徴とする。【選択図】図１
2007301101.tif 000002
【特許請求の範囲】
【請求項１】
ノイズに対して頑健な波形部分とノイズに対して頑健でない波形部分とを有する心電波形に基づいて不整脈の有無を判定する車両用不整脈監視装置であって、
車両が停車しているか否かを判定する車両状態判定手段と、
運転者が車両を操舵するために把持するステアリングに配設される電極から心電波形を取得する心電波形取得手段と、
前記心電波形取得手段が取得した心電波形に基づいて不整脈の有無を判定する信号処理演算手段と、を備え、
前記信号処理演算手段は、前記車両状態判定手段が停車していないと判定した場合に、前記心電波形取得手段が取得した心電波形のうち前記ノイズに対して頑健な波形部分に基づいて不整脈の有無を判定する、
ことを特徴とする車両用不整脈監視装置。
【請求項２】
前記ノイズに対して頑健な波形部分は、前記心電波形取得手段が取得した心電波形のうちのＲ波部分であることを特徴とする請求項１に記載の車両用不整脈監視装置。
【請求項３】
車両を停車させるよう前記運転者を支援する車両停車支援手段を備え、
前記車両停車支援手段は、前記車両状態判定手段が停車していないと判定し、かつ、前記信号処理演算手段が不整脈を有すると判定した場合に、前記車両を停車させるよう前記運転者を支援する、
ことを特徴とする請求項１に記載の車両用不整脈監視装置。
【請求項４】
前記信号処理演算手段は、前記車両状態判定手段が停車していると判定した場合に、停車中において前記心電波形取得手段が取得した心電波形のうち前記ノイズに対して頑健な波形部分以外を含む心電波形に基づいて不整脈の有無を判定する、
ことを特徴とする請求項１に記載の車両用不整脈監視装置。
【請求項５】
基準心電波形を有するテンプレートを記憶するテンプレート記憶手段と、
前記テンプレート記憶手段が記憶する１のテンプレートの基準心電波形の形状と、前記心電波形取得手段が取得した心電波形の形状とが類似するか否かを判定する心電波形比較手段と、
前記心電波形に基づいて前記１のテンプレートの基準心電波形を更新するテンプレート更新手段と、を備え、
前記テンプレート更新手段は、前記心電波形比較手段が類似すると判定した場合に、前記心電波形に基づいて前記１のテンプレートの基準心電波形を更新し、前記心電波形比較手段が何れのテンプレートの基準心電波形にも類似しないと判定した場合に、新規テンプレートを生成して前記心電波形を前記新規テンプレートの基準心電波形とする、
ことを特徴とする請求項１乃至４の何れか一項に記載の車両用不整脈監視装置。
【請求項６】
前記信号処理演算手段は、テンプレートの数が１つである場合に、Ｒ波間隔に関する情報に基づいて心房細動であるか否かを判定する、
ことを特徴とする請求項５に記載の車両用不整脈監視装置。
【請求項７】
前記信号処理演算手段は、テンプレートの数が２以上である場合に、２以上のテンプレートのうちの２つにおける基準心電波形の相違に基づいて、心室性期外収縮であるか否かを判定する、
ことを特徴とする請求項５に記載の車両用不整脈監視装置。
【請求項８】
前記１のテンプレートの基準心電波形を更新した前記心電波形の数をカウントする更新カウント手段と、
前記テンプレート記憶手段により記憶されたテンプレートを削除するテンプレート削除手段と、を備え、
前記テンプレート削除手段は、削除候補テンプレートの基準心電波形が最後に更新されてから所定時間経過するか、或いは、前記更新カウント手段がカウントした前記心電波形の数が所定数に満たない場合に、前記削除候補テンプレートを削除する、
ことを特徴とする請求項５に記載の車両用不整脈監視装置。
【請求項９】
前記テンプレート記憶手段により記憶された２つのテンプレートを１つのテンプレートに併合するテンプレート併合手段を備え、
前記テンプレート併合手段は、第１の併合候補テンプレートの基準心電波形と、第２の併合候補テンプレートの基準心電波形とが類似する場合に、前記第１の併合候補テンプレートの基準心電波形に基づいて前記第２の併合候補テンプレートの基準心電波形を更新して前記第１の併合候補テンプレートを前記第２の併合候補テンプレートに併合する、
ことを特徴とする請求項５に記載の車両用不整脈監視装置。
【発明の詳細な説明】
【技術分野】
【０００１】
本発明は、車両用不整脈監視装置に関し、より詳細には、車両運転中においても確実に不整脈の有無を判定できる車両用不整脈監視装置に関する。
【背景技術】
【０００２】
高齢化社会が進行する中、心疾患に起因する交通事故を防止するために運転者の心臓状態を監視する装置の重要性が高まってきている。不整脈を発生させる危険のある者が運転中に心停止を起こし意識を喪失した場合等に、その者が運転していた車両が更なる重大な事故を引き起こす場合があるからである。
【０００３】
心臓状態を監視する装置としては心電位を測定する心電図計があり、特に、ホルター心電図計は携帯型で体の表面に電極を貼り付けて長時間に渡って心電波形を記録することができる。これらホルター心電図計は、体表面に電極を貼り付けるだけの非侵襲測定が可能であり、運転者の心臓状態を測定するのに適した装置といえる。
【０００４】
しかし、これらホルター心電図計は、所定時間に渡って記録した心電波形を医師等が分析することによって初めて心臓の異常を確認することができるのであって、心臓に異常が発生する予兆を検出して必要な措置を自動的に実行するようには構成されていない。
【０００５】
一方、体内埋め込み型の装置としては、心電波形のＳＴセグメントを監視することにより、急性心筋梗塞（ＡＭＩ（Ａｃｕｔｅ  Ｍｙｏｃａｒｄｉａｌ  Ｉｎｆａｒｃｔｉｏｎ））の予兆を検出して警報を発する心臓救済装置が知られている（例えば、特許文献１参照。）。この心臓救済装置は、所定の心電波形を検出すると装着者および外部の医療機関等に信号を発し、該装置を装着する者の心臓状態を通知する。
【特許文献１】特開２００４−２６１５８０号公報
【発明の開示】
【発明が解決しようとする課題】
【０００６】
しかしながら、特許文献１に記載の心臓救済装置は、心電波形のＳＴセグメントを監視する必要があり、運転中に生じる筋電ノイズ等により正確なＳＴセグメントの測定が困難な場合には適用できない。
【０００７】
係る問題を解決するため、本発明は、車両運転中においても確実に不整脈の有無を判定できる車両用不整脈監視装置を提供することを目的とする。
【課題を解決するための手段】
【０００８】
上述の目的を達成するために、第１の発明に係る車両用不整脈監視装置は、ノイズに対して頑健な波形部分とノイズに対して頑健でない波形部分とを有する心電波形に基づいて不整脈の有無を判定する車両用不整脈監視装置であって、車両が停車しているか否かを判定する車両状態判定手段と、運転者が車両を操舵するために把持するステアリングに配設された電極から心電波形を取得する心電波形取得手段と、前記心電波形取得手段が取得した心電波形に基づいて不整脈の有無を判定する信号処理演算手段とを備え、前記信号処理演算手段は、前記車両状態判定手段が停車していないと判定した場合に、前記心電波形取得手段が取得した心電波形のうち前記ノイズに対して頑健な波形部分に基づいて不整脈の有無を判定することを特徴とする。
【０００９】
また、第２の発明は、第１の発明に係る車両用不整脈監視装置において、前記ノイズに対して頑健な波形部分は、前記心電波形取得手段が取得した心電波形のうちのＲ波部分であることを特徴とする。
【００１０】
また、第３の発明は、第１の発明に係る車両用不整脈監視装置において、車両を停車させるよう前記運転者を支援する車両停車支援手段を備え、前記車両停車支援手段は、前記車両状態判定手段が停車していないと判定し、かつ、前記信号処理演算手段が不整脈を有すると判定した場合に、前記車両を停車させるよう前記運転者を支援することを特徴とする。
【００１１】
また、第４の発明は、第１の発明に係る車両用不整脈監視装置において、前記信号処理演算手段は、前記車両状態判定手段が停車していると判定した場合に、停車中において前記心電波形取得手段が取得した心電波形のうち前記ノイズに対して頑健な波形部分以外を含む心電波形に基づいて不整脈の有無を判定することを特徴とする。
【００１２】
また、第５の発明は、第１乃至第４の何れかの発明に係る車両用不整脈監視装置において、基準心電波形を有するテンプレートを記憶するテンプレート記憶手段と、前記テンプレート記憶手段が記憶する１のテンプレートの基準心電波形の形状と、前記心電波形取得手段が取得した心電波形の形状とが類似するか否かを判定する心電波形比較手段と、前記心電波形に基づいて前記１のテンプレートの基準心電波形を更新するテンプレート更新手段と、を備え、前記テンプレート更新手段は、前記心電波形比較手段が類似すると判定した場合に、前記心電波形に基づいて前記１のテンプレートの基準心電波形を更新し、前記心電波形比較手段が何れのテンプレートの基準心電波形にも類似しないと判定した場合に、新規テンプレートを生成して前記心電波形を前記新規テンプレートの基準心電波形とすることを特徴とする。
【００１３】
また、第６の発明は、第５の発明に係る車両用不整脈監視装置において、前記信号処理演算手段は、テンプレートの数が１つである場合に、Ｒ波間隔に関する情報に基づいて心房細動であるか否かを判定することを特徴とする。
【００１４】
また、第７の発明は、第５の発明に係る車両用不整脈監視装置において、前記信号処理演算手段は、テンプレートの数が２以上である場合に、２以上のテンプレートのうちの２つにおける基準心電波形の相違に基づいて、心室性期外収縮であるか否かを判定することを特徴とする。
【００１５】
また、第８の発明は、第５の発明に係る車両用不整脈監視装置において、前記１のテンプレートの基準心電波形を更新した前記心電波形の数をカウントする更新カウント手段と、
前記テンプレート記憶手段により記憶されたテンプレートを削除するテンプレート削除手段と、を備え、前記テンプレート削除手段は、削除候補テンプレートの基準心電波形が最後に更新されてから所定時間経過するか、或いは、前記更新カウント手段がカウントした前記心電波形の数が所定数に満たない場合に、前記削除候補テンプレートを削除することを特徴とする。
【００１６】
また、第９の発明は、第５の発明に係る車両用不整脈監視装置において、前記テンプレート記憶手段により記憶された２つのテンプレートを１つのテンプレートに併合するテンプレート併合手段を備え、前記テンプレート併合手段は、第１の併合候補テンプレートの基準心電波形と、第２の併合候補テンプレートの基準心電波形とが類似する場合に、前記第１の併合候補テンプレートの基準心電波形に基づいて前記第２の併合候補テンプレートの基準心電波形を更新して前記第１の併合候補テンプレートを前記第２の併合候補テンプレートに併合することを特徴とする。
【発明の効果】
【００１７】
上述の手段により、本発明は、車両運転中においても確実に不整脈の有無を判定できる車両用不整脈監視装置を提供することができる。
【発明を実施するための最良の形態】
【００１８】
以下、図面を参照しつつ、いくつかの実施例に分けて、本発明を実施するための最良の形態の説明を行う。
【実施例１】
【００１９】
図１は、実施例１に係る車両用不整脈監視装置の機能ブロック図を示す。車両用不整脈監視装置１００は、心電センサ１、脈波センサ２、心電アンプ３、脈波アンプ４、車両状態判定手段５、通信装置６、車両停車支援手段７、表示装置８および制御部９から構成される。
【００２０】
心電センサ１は、心電波形を取得するための心電波形取得手段であり、心電位を測定するための電極（図示せず。）が車両を操舵するためのステアリング（図示せず。）の表面に配置され、心電センサ１の本体がステアリングの内部に埋め込まれる。電極をステアリング表面に配置するのは、運転者の左右の手のそれぞれに確実に電極を接触させるようにするためである。また、心電センサ１は、採取した心電波形に関する信号を心電アンプ３に送信する。なお、心電センサ１本体はステアリングコラム内部やダッシュボード内部に配置されてもよい。
【００２１】
心電センサ１が採取する心電波形は、車両が停車中の場合や一定速度で直進走行している場合等、運転者が安静状態にある場合には、運転者の体動も比較的小さく、運転者の手とステアリング表面の電極との接触圧も一定になり易いので心電波形が比較的安定する傾向にある。しかし、心電センサ１が採取する心電波形は、運転者の体動による筋電位等の影響を受け易く、車両が加速中、減速中またはカーブ走行中の場合等には、運転者の体動も比較的大きく、運転者の手とステアリング表面の電極との接触圧が変化し易いので心電波形は乱れ易い傾向にある。また、心電センサ１は、運転者がステアリングを操作する際、片手をステアリングから離したりすると、その間、心電波形を採取できなくなる。
【００２２】
脈波センサ２は、光電素子を用いて指の血流量から血圧や脈拍数を算出するための装置であり、心電センサ１と同様、運転者の指の腹の部分に測定端子部（図示せず。）を確実に接触させるよう該測定端子部がステアリング表面に配置され、脈波センサ２の本体がステアリングの内部に埋め込まれる。また、脈波センサ２は、運転者の手首に巻きつけるように装着され圧電素子を用いて脈拍や血圧を測定するようにしてもよい。また、脈波センサ２は、採取した脈拍および血圧に関する信号を脈波アンプ４に送信する。
【００２３】
心電アンプ３および脈波アンプ４は、それぞれ心電センサ１および脈波センサ２から受信した信号を増幅するための装置である。また、心電アンプ３および脈波アンプ４は、増幅した信号を制御部９に送信する。
【００２４】
車両状態判定手段５は、車両の走行状態を判定するための装置であり、図示しない、車速センサ、操舵角センサ、スロットル開度センサ、ブレーキセンサ等からの信号を受信して、車両が停車中であるか、一定速度で走行中であるか、加速若しくは減速中であるか、または、カーブ若しくは曲がり角等を通過中であるか等を判定する。また、車両状態判定手段５は、判定結果を制御部９に送信する。
【００２５】
通信装置６は、外部との通信を行うための装置であり、制御部９からの指示を受けて医療機関や救急等の予め登録された連絡先に警報を発したり、車両の位置情報を伝達したりするために使用される。
【００２６】
車両停車支援手段７は、車両を安全に停車させるよう運転者の車両操作を支援する装置であり、制御部９からの指示を受けて車両を停車させるよう自動的にブレーキを作動させて車両を徐々に減速させるようにしたりする。自動的にブレーキを作動させる場合には、周囲の車両に注意を促すために、ハザードランプを点滅させてもよい。
【００２７】
表示装置８は、ＬＣＤ（Ｌｉｑｕｉｄ  Ｃｒｙｓｔａｌ  Ｄｉｓｐｌａｙ）や有機ＥＬ（ＥｌｅｃｔｒｏＬｕｍｉｎｅｓｃｅｎｃｅ）ディスプレイ等の車載用表示装置であり、制御部９からの指示を受けて、車両停車支援手段７と協働し、或いは単独で、車両を停車させるよう警告メッセージを画面に表示させたり、付属のスピーカから音声メッセージを発したり、或いは、ＬＥＤ（Ｌｉｇｈｔ  Ｅｍｉｔｔｉｎｇ  Ｄｉｏｄｅ）等の警告ランプを点滅させたりする。
【００２８】
制御部９は、心電波形取得手段１０、信号処理演算手段１１、テンプレート記憶手段１２、心電波形比較手段１３、テンプレート更新手段１４、更新カウント手段１５、テンプレート削除手段１６およびテンプレート併合手段１７を有し、心電アンプ３、脈波アンプ４および車両状態判定手段５からの信号を受信して運転者の心臓状態を判定し、判定結果に基づいて通信装置６、車両停車支援手段７および表示装置８を制御する。
【００２９】
心電波形取得手段１０は、心電センサ１により取得され心電アンプ３により増幅された心電波形を取得する。
【００３０】
信号処理演算手段１１は、心電波形取得手段１０が取得した心電波形に基づいて不整脈の有無を判定する。また、信号処理演算手段１１は、脈波波形に基づいて不整脈の有無を判定する。なお、信号処理演算手段１１が判断の基礎とする心電波形には、後述の、テンプレート更新手段１４またはテンプレート併合手段１７により更新または生成されたテンプレートのそれぞれが有する基準心電波形が含まれる。
【００３１】
また、信号処理演算手段１１は、車両状態判定手段５による判定結果に応じて、運転者の心臓状態の判定に使用する心電波形の波形部分を変更する。例えば、車両状態判定手段５により車両が走行中であると判定された場合には、信号処理演算手段１１は、心電波形のうちＲ波ピーク（Ｒ波の波高）の間隔等に基づいて運転者の心臓状態を大局的に判定する。一方、車両状態判定手段５により車両が停車中であると判定された場合には、信号処理演算手段１１は、心電波形のうちＲ波ピークを含む心電波形全体に基づいて運転者の心臓状態をより厳密に判定する。
【００３２】
ここで、心電図波形は、主に、心房の電気的興奮を反映するＰ波と、心室の電気的興奮を反映するＱ、ＲおよびＳ波（以下、「ＱＲＳ群」という。）と、興奮した心室の心筋細胞が再分極する過程を反映するＴ波とから構成され、Ｒ波の波高（電位差）が最も大きく、筋電位等のノイズに対して最も頑健であるといえる。次に波高が大きいのがＴ波であり、Ｐ波が最も小さい波高を有する。
【００３３】
車両走行中において、信号処理演算手段１１がＲ波ピークの間隔等に基づき運転者の心臓状態を大局的に判定するのは、Ｒ波ピークが心電波形のうち波高が最も大きい部分であり、筋電位等のノイズに対して頑健であるためである。また、車両停車中において、信号処理演算手段１１がＲ波ピークを含む心電波形全体に基づき運転者の心臓状態をより厳密に判定するのは、車両停車中は運転者が安静状態になり易く筋電位等のノイズを少なくすることができるので、Ｒ波よりも波高の小さいＴ波およびＰ波を含めた心電波形全体に基づく判定が可能となるからである。
【００３４】
テンプレート記憶手段１２は、基準心電波形を有するテンプレートを図示しないＲＡＭ（Ｒａｎｄｏｍ  Ａｃｃｅｓｓ  Ｍｅｍｏｒｙ）やＨＤＤ（Ｈａｒｄ  Ｄｉｓｋ  Ｄｒｉｖｅ）等の記憶装置に記憶する。基準心電波形は、予め記憶された標準的な心電波形であってもよく、運転者から最初に取得される心電波形であってもよい。なお、テンプレートは、当初１つだけ用意されるが、複数の異なる運転者に対応するために複数用意されてもよい。
【００３５】
ここで、「基準心電波形」とは、その属するテンプレートを代表する心電波形であり、Ｐ、Ｑ、Ｒ、ＳおよびＴ波を含む部分を１単位として、Ｐ、Ｑ、Ｒ、ＳおよびＴ波それぞれの波高等の測定値或いはその平均値で示される波形を意味し、各テンプレートは基準心電波形の他、それぞれの波高の最大値、最小値、標準偏差等の情報を併有する。また、各テンプレートは、測定値から二次的に計算される、それぞれの波幅、ＰＱ時間、ＱＴ時間、ＲＲ間隔（ＲＲＩ（Ｒ−Ｒ  Ｉｎｔｅｒｖａｌ））、平均高さ（平均信号強度）、心拍数等の情報も併有する。また、各テンプレートは、心電波形の微分波形を基準心電波形として使用してもよい。
【００３６】
心電波形取得手段１０は、心電センサ１により取得され心電アンプ３により増幅された心電波形から、例えば、Ｒ波ピーク±３００ミリ秒の範囲を切り出し、その範囲を１単位として心電波形比較手段１３に出力する。
【００３７】
心電波形比較手段１３は、心電波形取得手段１０から受信した心電波形と、テンプレート記憶手段１２が記憶する１のテンプレートが有する基準心電波形とを比較して両者が類似するか否かを判定する。心電波形比較手段１３は、例えば、受信した心電波形と１のテンプレートの基準心電波形との間の相関係数を算出し、相関係数が所定値（例えば、０．７５）以上ならば類似と判定する。また、心電波形の比較は、Ｐ、Ｑ、Ｒ、ＳおよびＴ波の波高等の情報を併用してもよい。また、類似すると判定されたテンプレート（基準心電波形）が複数ある場合には、相関係数が最大となるテンプレートの基準心電波形に類似すると判定する。
【００３８】
テンプレート更新手段１４は、心電波形取得手段１０から受信した心電波形に基づいて、心電波形比較手段１３により類似すると判定された基準心電波形のＰ、Ｑ、Ｒ、ＳおよびＴ波それぞれの波高および波幅、ＰＱ時間、ＱＴ時間、ＲＲＩ等の平均値および標準偏差等を更新する。
【００３９】
なお、更新は、基準心電波形の平均値等を構成した心電波形の数を考慮する。例えば、基準心電波形が先行する１９波形の心電波形の平均値等で構成される場合、受信した心電波形は２０分の１（５％）の影響度を有する。或いは、平均値等を構成した心電波形の数によらず、既に記憶されている基準心電波形の影響度を８０％、受信した心電波形の影響度を２０％として更新を行ってもよい。
【００４０】
また、テンプレート更新手段１４は、心電波形取得手段１０から受信した心電波形が何れのテンプレートの基準心電波形とも類似しないと心電波形比較手段１３により判定された場合、テンプレートを新たに生成し、心電波形取得手段１０から受信した心電波形をそのテンプレートの基準心電波形とする。なお、テンプレート更新手段１４は、電源投入時等、テンプレート記憶手段１２により記憶されたテンプレートが１つもない場合にも、テンプレートを新たに生成し、最初に受信した心電波形を基準心電波形にするようにしてもよい。また、テンプレート更新手段１４は、テンプレートを新たに作成する場合であっても、心電波形取得手段１０から受信した心電波形をそのテンプレートの基準心電波形とせず、受信した心電波形と、予め記憶された所定の心電波形とから基準心電波形を生成するようにしてもよい。
【００４１】
このように、車両用不整脈監視装置１００は、既存のテンプレートの基準心電波形に類似する心電波形を既存のテンプレートを更新するために利用するので、類似する基準心電波形を有するテンプレートが無制限に生成されるのを防止することができる。
【００４２】
更新カウント手段１５は、テンプレート更新手段１４が各テンプレートの基準心電波形を更新するために用いた心電波形の数をテンプレート毎にカウントする。
【００４３】
テンプレート削除手段１６は、筋電位等のノイズの影響を受けた心電波形が、類似のテンプレートが存在しないとして作成されたテンプレートの基準心電波形となった場合に、そのテンプレートを所定の条件に基づいて削除する。
【００４４】
例えば、テンプレート削除手段１６は、削除候補となるテンプレートが最後に更新されてから経過した時間を参照し、その経過時間が所定の時間（例えば、２０秒）を超過した場合に、その削除候補となるテンプレートを削除する。或いは、テンプレート削除手段１６は、削除候補となるテンプレートの更新に用いられた心電波形の数を更新カウント手段１５より取得し、所定の期間における更新に利用された心電波形の数が所定数（例えば、１０個）に満たない場合に、その削除候補となるテンプレートを削除する。
【００４５】
このように、車両用不整脈監視装置１００は、ノイズの影響を受けた心電波形により生成されたテンプレートを検出して削除することにより、ノイズの影響を受けた心電波形が不整脈であると誤判定されるのを防止することができる。
【００４６】
テンプレート併合手段１７は、心電波形比較手段１３により１のテンプレートに類似しないと判定された心電波形が他のテンプレートを更新した場合に、本来ならば当該１のテンプレートに属すべき当該他のテンプレートを当該１のテンプレートに併合する。
【００４７】
このような状況は、心電波形比較手段１３による比較が厳格すぎる場合に発生しうる。例えば、通常の環境条件（ノイズ条件）であれば１のテンプレートに属していただろう心電波形であっても、ノイズを発生させ易い環境条件で取得された場合には、一部の心電波形は、当該１のテンプレートに類似しないとして他のテンプレートを更新してしまう場合がある。
【００４８】
係る場合に、制御部９は、現在の環境条件がノイズの多い環境条件であることを車両状態判定手段５等からの情報により判定し、テンプレート併合手段１７をして、１のテンプレートと他のテンプレートとを併合させるようにする。この際、制御部９は、心電波形取得手段１０から受信した心電波形と基準心電波形との類比判断のために心電波形比較手段１３が用いる相関関数の閾値を通常より低い値（例えば、通常の０．７５に対して０．７とする。）に設定させるようにしてもよい。
【００４９】
テンプレート併合手段１７による併合は、１のテンプレートが有する基準心電波形のＰ、Ｑ、Ｒ、ＳおよびＴ波それぞれの波高および波幅、ＰＱ時間、ＱＴ時間、ＲＲＩ等の平均値および標準偏差等と、他のテンプレートの基準心電波形のＰ、Ｑ、Ｒ、ＳおよびＴ波それぞれの波高および波幅、ＰＱ時間、ＱＴ時間、ＲＲＩ等の平均値および標準偏差等とを併合することにより実行される。なお、併合の際には、それぞれのテンプレートを形成した心電波形の数を考慮する。例えば、１のテンプレートを形成した心電波形の数が２０波形で、他のテンプレートを形成した心電波形の数が８０波形である場合、併合により生成される基準心電波形は、１のテンプレートの基準心電波形の影響を２０％、他のテンプレートの基準心電波形の影響を８０％、それぞれ受けたものとなる。
【００５０】
テンプレート併合手段１７は、１のテンプレートの基準心電波形と、他のテンプレートの基準心電波形との間の相関係数を算出し、相関係数が所定値（例えば、０．７）以上であれば、他のテンプレートを１のテンプレートに併合する。なお、ここで使用される相関係数の閾値には、心電波形取得手段１０から受信した心電波形と基準心電波形との類比判断のために心電波形比較手段１３が使用した閾値より低い値が設定されるようにしてもよい。
【００５１】
或いは、テンプレート併合手段１７は、基準心電波形の平均高さに基づいて併合するか否かの判定を行ってもよい。ここで、「平均高さ」とは、Ｐ、Ｑ、Ｒ、ＳおよびＴ波を含む心電波形１単位の高さ（基準電位との電位差）の平均値をいう。なお、基準電位より低い負の電位は負の値として取り扱ってもよく、その絶対値を加算するようにしてもよい。
【００５２】
テンプレート併合手段１７は、１のテンプレートの基準心電波形の平均高さＨ１と、他のテンプレートの基準心電波形の平均高さＨ２とから、例えば、ａｂｓ（Ｈ１−Ｈ２）／（Ｈ１＋Ｈ２）＜０．１のような判定式を用い、判定式が満たされる場合に２つのテンプレートを併合するようにしてもよい。なお、ａｂｓ（Ｈ１−Ｈ２）は、平均高さの差の絶対値を意味する。
【００５３】
このように、車両用不整脈監視装置１００は、本来ならば、１のテンプレートに属すべき心電波形が他のテンプレートに属するものと判定された場合であっても、事後的にこれら２つのテンプレートを併合することにより、テンプレート記憶手段１２が記憶する情報量や、心電波形比較手段１３が比較対象とするテンプレート数を低減することができる。
【００５４】
次に、車両用不整脈監視装置１００が不整脈の有無を判定する方法について説明する。
【００５５】
図２は、車両走行中に不整脈の有無を判定する処理の流れを示すフローチャートであり、図３は、車両停車中に不整脈の有無を判定する処理の流れを示すフローチャートである。
【００５６】
先ず、車両走行中に不整脈の有無を判定する処理について説明する。なお、車両用不整脈監視装置１００は、車両が走行しているか否かを車両状態判定手段５により判定する。
【００５７】
最初に、制御部９は、心電波形取得手段１０をして心電センサ１により取得され心電アンプ３により増幅された心電波形を取得させる（ステップＳ１）。その後、信号処理演算手段１１は、心電波形取得手段１０が取得した心電波形から、Ｒ波ピークのみを検出する（ステップＳ２）。信号処理演算手段１１は、所定期間継続してＲ波ピークの検出を行い、一分間当たりの心拍数を算出する。また、信号処理演算手段１１は、ＲＲＩから心拍数のゆらぎを監視し、この心拍数のゆらぎを周波数解析し低周波成分（ＬＦ）および高周波成分（ＨＦ）を算出する。そして、信号処理演算手段１１は、算出した心拍数およびＬＦ／ＨＦ比に基づいて不整脈の有無を判定する（ステップＳ３）。
【００５８】
信号処理演算手段１１は、心拍数が先行する５分間の平均心拍数より２５％以上上昇するか、心拍数が１００拍／分以上若しくは４０拍／分以下となるか、または、ＬＦ／ＨＦ比が先行する３０分間乃至４０分間のＬＦ／ＨＦ比に比べ５０％以上上昇するかの何れかの条件が満たされた場合に（ステップＳ３のＹＥＳ）、不整脈のおそれがあると判定し、車両停車支援手段７を実行させたり（ステップＳ４）、表示装置８に警告画面を表示させたりして、車両を停車させるようにする。
【００５９】
信号処理演算手段１１は、上述の条件を満たさない場合には（ステップＳ３のＮＯ）、車両停車支援手段７を実行させることなくＲ波の監視を継続する。
【００６０】
次に、車両停車中に不整脈の有無を判定する処理について説明する。上述のように車両停車支援手段７により車両が停車させられると、制御部９は、心電波形取得手段１０をして心電センサ１により取得され心電アンプ３により増幅された心電波形を取得させ、同時に、脈波センサ２により取得され脈波アンプ４により増幅された脈波波形を取得する（ステップＳ１１）。
【００６１】
次に、信号処理演算手段１１は、心電波形取得手段１０が取得した心電波形からＳＴ波波高を検出し、脈波波形から血圧を推定する（ステップＳ１２）。そして、信号処理演算手段１１は、検出したＳＴ波波高または推定した血圧に基づいて不整脈の有無を判定する（ステップＳ１３）。
【００６２】
信号処理演算手段１１は、ＳＴ波の波高が基準電位＋０．０２ｍＶ以上若しくは基準電位−０．０２ｍＶ以下となるか、または、血圧が２５％以上上昇若しくは２５％以上下降するかの条件が満たされた場合に（ステップＳ１３のＹＥＳ）、不整脈が発生したと判定し、通信装置６を介して家族、掛かり付けの医師、ヘルプネット等の予め登録された連絡先に自動的に通報したり、或いは、車外に緊急事態を知らせるようホーンを鳴らしたり、ライトを点滅させたりする（ステップＳ１４）。
【００６３】
信号処理演算手段１１は、上述の条件を満たさない場合には（ステップＳ１３のＮＯ）、通信装置６を介して通報を行うことなくＳＴ波および血圧の測定を継続する。なお、信号処理演算手段１１は、車両停車支援手段７の支援により車両を停車させた後、所定期間（例えば、１０分間）が経過するまで車両を再発進できないようにしてもよい。
【００６４】
次に、車両用不整脈監視装置１００が心電波形のテンプレートを用いて不整脈の有無を判断する方法について説明する。なお、テンプレートによる判定は、車両走行中に取得される心電波形のＱＲＳ群に基づいて行われてもよく、車両停車中に取得される心電波形全体に基づいて行われてもよい。
【００６５】
図４は、車両用不整脈監視装置１００が心電波形のテンプレートを更新する処理の流れを示すフローチャートである。
【００６６】
最初に、心電波形取得手段１０は、心電センサ１により取得され心電アンプ３により増幅された心電波形を取得し（ステップＳ２１）、その心電波形からＲ波ピーク±３００ミリ秒の範囲を切り出す（ステップＳ２２）。この範囲は、心電波形のうちのＱＲＳ群を含む範囲であり、筋電位等のノイズに対し頑健な波形部分を含むものである。
【００６７】
次に、制御部９は、テンプレート記憶手段１２を参照し、既存のテンプレートが存在するか否かを判定する（ステップＳ２３）。制御部９が既存のテンプレートが存在しないことを確認すると（ステップＳ２３のＮＯ）、テンプレート更新手段１４は、新たにテンプレートを生成し、心電波形取得手段１０が切り出した心電波形を新たに生成したテンプレートの基準心電波形とする（ステップＳ２８）。一方、制御部９が既存のテンプレートの存在を確認すると（ステップＳ２３のＹＥＳ）、心電波形比較手段１３は、心電波形取得手段１０が切り出した心電波形と既存のテンプレートが有する基準心電波形との類似度を算出する（ステップＳ２４）。なお、類似度は、例えば、心電波形取得手段１０が切り出した心電波形と既存のテンプレートが有する基準心電波形との相関係数である。
【００６８】
次に、制御部９は、テンプレート記憶手段１２を参照し、他の既存のテンプレートが存在するか否かを判定する（ステップＳ２５）。制御部９が他の既存のテンプレートの存在を確認すると（ステップＳ２５のＹＥＳ）、ステップＳ２４における類似度算出の処理を繰り返す。一方、制御部９が他の既存のテンプレートが存在しないことを確認すると、心電波形比較手段１３は、算出した類似度のそれぞれが所定の値（例えば、相関係数０．７５）以上であるか否かを判定する（ステップＳ２６）。
【００６９】
算出した類似度の何れもが所定の値未満であると心電波形比較手段１３が判定した場合には（ステップＳ２６のＮＯ）、テンプレート更新手段１４は、新たにテンプレートを生成し、心電波形取得手段１０が切り出した心電波形を新たに生成したテンプレートの基準心電波形とする（ステップＳ２８）。一方、１のテンプレートの類似度が所定の値以上の場合には（ステップＳ２６のＹＥＳ）、テンプレート更新手段１４は、心電波形取得手段１０が切り出した心電波形に基づいて１のテンプレートを更新する（ステップＳ２７）。なお、類似度が所定の値以上となるテンプレートが複数存在する場合には、テンプレート更新手段１４は、心電波形取得手段１０が切り出した心電波形に基づいて最大の類似度を有するテンプレートを更新する（ステップＳ２７）。
【００７０】
上述の方法により更新されたテンプレートと、以下に示す心臓疾患の各特徴とに基づき、車両用不整脈監視装置１００は、不整脈の有無を判定する。
【００７１】
通常、健常者の心電波形または心房細動（Ｐ波に関連する。）、洞不整脈若しくは心房性期外収縮（以下、「心房細動等」という。）の症状を持つ者の心電波形は、ＱＲＳ群の心電波形に影響を及ぼさないので、生成されるテンプレートの数は１つとなる。しかし、心房細動等の症状を持つ者のＲＲＩは、一定とならない場合が多いため、テンプレートのＲＲＩに関する情報から、健常者との区別が可能である。
【００７２】
また、心室性期外収縮または脚ブロック（以下、「心室性期外収縮」という。）の症状を持つ者の心電波形は、心室性期外収縮等が発生した際のＱＲＳ群の形状が大きく変化するため、心室性期外収縮等が発生していない通常のＱＲＳ群によるテンプレートと、心室性期外収縮等が発生した際のＱＲＳ群によるテンプレートとの２つ以上のテンプレートが生成される。さらに、心室性期外収縮等の症状を持つ者の心電波形は、波高平均高さおよび平均ＲＲＩ等が心室性期外収縮等発生時とそうでない場合とで大きく異なるという特徴を有する。
【００７３】
ここで、「心房細動」とは、心房が１分間に４５０〜６００回の頻度で不規則に興奮し、その興奮波が房室結節へ無秩序に伝わるために心室興奮が不規則になる不整脈をいい、「期外収縮」とは、正常な拍動が起こる前に、異常部位からの電気刺激により心房が活性化するために余分な拍動が生じる不整脈をいい、このうち、心房由来のものを「心房性期外収縮」、心室由来のものを「心室性期外収縮」という。また、「洞不整脈」とは、RRＩの変動幅（最長と最短の差）が０．１２から０．１６秒以上ある場合をいい、「脚ブロック」とは、電気刺激を心室へ伝導する脚を通過する電気刺激を部分的、或いは完全に遮断する伝導障害をいう。
【００７４】
図５は、車両用不整脈監視装置１００がテンプレートの情報に基づいて不整脈の有無を判定する処理の流れを示すフローチャートである。
【００７５】
最初に、信号処理演算手段１１は、テンプレート記憶手段１２を参照して既存のテンプレート数を取得する（ステップＳ３１）。信号処理演算手段１１は、既存のテンプレート数が２以上であることを確認すると（ステップＳ３１のＮＯ）、心室性期外収縮若しくは脚ブロックのおそれがあると判定する（ステップＳ３５）。一方、信号処理演算手段１１は、既存のテンプレート数が１つであることを確認すると（ステップＳ３１のＹＥＳ）、テンプレートが有するＲＲＩに関する情報を参照し、所定の計算値（例えば、ＲＲＩの標準偏差をＲＲＩの平均値で除した値である。）に基づいて不整脈の有無を判定する（ステップＳ３２）。
【００７６】
信号処理演算手段１１は、例えば、ＲＲＩの標準偏差をＲＲＩの平均値で除した値が０．２未満であると判定した場合に（ステップＳ３２のＹＥＳ）、不整脈は存在しないとの判定を行う（ステップＳ３３）。一方、ＲＲＩの標準偏差をＲＲＩの平均値で除した値が０．２以上であると判定した場合には（ステップＳ３２のＮＯ）、信号処理演算手段１１は、心房細動、洞不整脈または心房性期外収縮のおそれがあるとの判定を行う（ステップＳ３４）。なお、この計算値は、ＲＲＩの平均値、標準偏差または変動係数ＣＶ（Ｃｏｅｆｆｉｃｉｅｎｔ  ｏｆ  Ｖａｒｉａｔｉｏｎ）等のＲＲＩに関する情報を用いたものに限定されることはなく、平均高さに関する情報を用いる等、上述の各心臓疾患の症状を区別できるものであればよい。
【００７７】
このように、車両用不整脈監視装置１００は、心電センサ１の電極をステアリング表面に配設するために、心電波形が監視されているのを運転者に意識させることなく不整脈の有無を監視することができる。
【００７８】
また、車両用不整脈監視装置１００は、車両走行中にＲ波ピークを監視することにより不整脈の発生を大まかに判定して車両の停車を促した後、安静状態においてより詳細な心電波形の測定を行い、不整脈の有無をより正確に行うことができるので、車両走行中に突然運転者が心停止等を引き起こすことにより、更なる事故を発生させることを防止することができる。
【００７９】
また、車両用不整脈監視装置１００は、テンプレートを用いることにより、不整脈のより詳細な状態を検出することができ、通信装置６を介して医師等により有用な情報を伝達することができる。
【００８０】
以上、本発明の好ましい実施例について詳説したが、本発明は、上述した実施例に制限されることはなく、本発明の範囲を逸脱することなく、上述した実施例に種々の変形及び置換を加えることができる。
【００８１】
例えば、制御部９を構成する各手段１０乃至１７は、コンピュータ読取可能な媒体に記憶されるプログラムであり、ＨＤＤ等に記憶され、ＲＡＭ等に展開されて各手段を制御部９のコンピュータに実行させるようにしてもよい。
【図面の簡単な説明】
【００８２】
【図１】本発明に係る車両用不整脈監視装置の機能ブロック図である。
【図２】車両走行中に不整脈の有無を判定する処理の流れを示すフローチャートである。
【図３】車両停車中に不整脈の有無を判定する処理の流れを示すフローチャートである。
【図４】心電波形のテンプレートを更新する処理の流れを示すフローチャートである。
【図５】テンプレートの情報に基づいて不整脈の有無を判定する処理の流れを示すフローチャートである。
【符号の説明】
【００８３】
１      心電センサ
２      脈波センサ
３      心電アンプ
４      脈波アンプ
５      車両状態判定手段
６      通信装置
７      車両停車支援手段
８      表示装置
９      制御部
１０    心電波形取得手段
１１    信号処理演算手段
１２    テンプレート記憶手段
１３    心電波形比較手段
１４    テンプレート更新手段
１５    更新カウント手段
１６    テンプレート削除手段
１７    テンプレート併合手段
１００  車両用不整脈監視装置
【図１】
2007301101.tif 000003
【図２】
2007301101.tif 000004
【図３】
2007301101.tif 000005
【図４】
2007301101.tif 000006
【図５】
2007301101.tif 000007